(57)【要約】【課題】レスキュー配線を利用した信号線の修復に起因して輝度ムラが生じるのを防止する。【解決手段】本発明の液晶表示装置は、基板の一主面を投影面とした場合、レスキュー配線ＲＬの全投影が対向電極の投影から離間しているか、或いは、レスキュー配線ＲＬの全投影がシール層ＡＤの投影の内周よりも外側に位置しているか、或いは、レスキュー配線ＲＬの投影の一部がシール層ＡＤの投影の内周よりも外側に位置し且つレスキュー配線ＲＬの投影の残りの部分が対向電極の投影から離間しているか、或いは、レスキュー配線ＲＬの投影の一部がシール層ＡＤの投影の内周よりも外側に位置し且つレスキュー配線ＲＬの投影の残りの部分が対向電極の投影から離間しているか又は周縁遮光層の投影と重なり合っていることを特徴とする。【選択図】図１
2007047276.tif 000002
【特許請求の範囲】
【請求項１】
一主面に表示領域とこれを取り囲む周辺領域とが規定される第１基板と、前記表示領域上で配列すると共に各々が画素電極とスイッチング素子とを含んだ複数の画素回路と、前記複数の画素回路が形成する複数の列又は行に沿って配列した複数の信号線と、前記周辺領域上に配置されると共に各々の一端及び他端が前記複数の信号線の少なくとも１つの一端及び他端と絶縁層を挟んでそれぞれ交差した複数のレスキュー配線とを備えたアレイ基板と、
前記第１基板の前記主面と向き合った第２基板と、前記第２基板の前記第１基板との対向面上に配置された対向電極とを備えた対向基板と、
前記アレイ基板と前記対向基板との間に介在すると共に前記周辺領域上で前記表示領域の輪郭に沿って延在した枠形状のシール層と、
前記アレイ基板と前記対向基板と前記シール層とに囲まれた空間を満たした液晶材料とを具備し、
前記第１基板の前記主面を投影面とした場合、前記投影面への前記複数のレスキュー配線の投影は、前記投影面への前記対向電極の投影から離間していることを特徴とする液晶表示装置。
【請求項２】
一主面に表示領域とこれを取り囲む周辺領域とが規定される第１基板と、前記表示領域上で配列すると共に各々が画素電極とスイッチング素子とを含んだ複数の画素回路と、前記複数の画素回路が形成する複数の列又は行に沿って配列した複数の信号線と、前記周辺領域上に配置されると共に各々の一端及び他端が前記複数の信号線の少なくとも１つの一端及び他端と絶縁層を挟んでそれぞれ交差した複数のレスキュー配線とを備えたアレイ基板と、
前記第１基板の前記主面と向き合った第２基板と、前記第２基板の前記第１基板との対向面上に配置された対向電極とを備えた対向基板と、
前記アレイ基板と前記対向基板との間に介在すると共に前記周辺領域上で前記表示領域の輪郭に沿って延在した枠形状のシール層と、
前記アレイ基板と前記対向基板と前記シール層とに囲まれた空間を満たした液晶材料とを具備し、
前記第１基板の前記主面を投影面とした場合、前記投影面への前記複数のレスキュー配線の投影は、前記投影面への前記シール層の投影の内周よりも外側に位置していることを特徴とする液晶表示装置。
【請求項３】
一主面に表示領域とこれを取り囲む周辺領域とが規定される第１基板と、前記表示領域上で配列すると共に各々が画素電極とスイッチング素子とを含んだ複数の画素回路と、前記複数の画素回路が形成する複数の列又は行に沿って配列した複数の信号線と、前記周辺領域上に配置されると共に各々の一端及び他端が前記複数の信号線の少なくとも１つの一端及び他端と絶縁層を挟んでそれぞれ交差した複数のレスキュー配線とを備えたアレイ基板と、
前記第１基板の前記主面と向き合った第２基板と、前記第２基板の前記第１基板との対向面上に配置された対向電極とを備えた対向基板と、
前記アレイ基板と前記対向基板との間に介在すると共に前記周辺領域上で前記表示領域の輪郭に沿って延在した枠形状のシール層と、
前記アレイ基板と前記対向基板と前記シール層とに囲まれた空間を満たした液晶材料とを具備し、
前記第１基板の前記主面を投影面とした場合、前記投影面への前記複数のレスキュー配線の投影の一部は、前記投影面への前記シール層の投影の内周よりも外側に位置し、前記投影面への前記複数のレスキュー配線の投影の残りの部分は、前記投影面への前記対向電極の投影から離間していることを特徴とする液晶表示装置。
【請求項４】
一主面に表示領域とこれを取り囲む周辺領域とが規定される第１基板と、前記表示領域上で配列すると共に各々が画素電極とスイッチング素子とを含んだ複数の画素回路と、前記複数の画素回路が形成する複数の列又は行に沿って配列した複数の信号線と、前記周辺領域上に配置されると共に各々の一端及び他端が前記複数の信号線の少なくとも１つの一端及び他端と絶縁層を挟んでそれぞれ交差した複数のレスキュー配線と、前記第１基板と前記画素電極との間に介在したカラーフィルタとを備えたアレイ基板と、
前記第１基板の前記主面と向き合った第２基板と、前記第２基板の前記第１基板との対向面上に配置された対向電極とを備えた対向基板と、
前記アレイ基板と前記対向基板との間に介在すると共に前記周辺領域上で前記表示領域の輪郭に沿って延在した枠形状のシール層と、
前記アレイ基板と前記対向基板と前記シール層とに囲まれた空間を満たした液晶材料とを具備し、
前記第１基板の前記主面を投影面とした場合、前記投影面への前記複数のレスキュー配線の投影の一部は、前記投影面への前記シール層の投影の内周よりも外側に位置し、前記投影面への前記複数のレスキュー配線の投影の残りの部分は、前記投影面への前記対向電極の投影から離間しているか又は前記投影面への前記周縁遮光層の投影と重なり合っていることを特徴とする液晶表示装置。
【請求項５】
表示モードがＯＣＢモードであることを特徴とする請求項１乃至４の何れか１項に記載の液晶表示装置。
【発明の詳細な説明】
【技術分野】
【０００１】
本発明は、液晶表示装置に係り、特にはレスキュー配線を含んだアクティブマトリクス型の液晶表示装置に関する。
【背景技術】
【０００２】
アクティブマトリクス型の液晶表示装置では、走査信号線や映像信号線などの信号線が断線していると、一部の画素回路に映像信号を書き込むことができない。断線した信号線は、以下のレスキュー配線を利用することにより修復することができる。
【０００３】
レスキュー配線は、アレイ基板に形成する配線である。各レスキュー配線は、その一端及び他端が絶縁層を介して１つ以上の信号線の一端及び他端とそれぞれ交差するように、周辺領域に配置する。
【０００４】
断線が見つかった場合には、断線した信号線とレスキュー配線との２つの交差部にレーザビームを照射する。こうすると、その信号線の両端をレスキュー配線と電気的に接続することができ、したがって、信号線に接続された画素回路への映像信号の書き込みが可能となる。
【０００５】
このように、レスキュー配線を利用すると、断線した信号線を修復することができるので、歩留まりを向上させることができる。しかしながら、本発明者らは、本発明を為すに際し、特に使用温度域における比誘電率が大きな液晶材料を使用した場合、断線した信号線をレスキュー配線を用いて修復すると、先の信号線に対応した位置に輝度ムラを生じ得ることを見出している。
【発明の開示】
【発明が解決しようとする課題】
【０００６】
本発明の目的は、レスキュー配線を利用した信号線の修復に起因して輝度ムラが生じるのを防止することにある。
【課題を解決するための手段】
【０００７】
本発明の第１側面によると、一主面に表示領域とこれを取り囲む周辺領域とが規定される第１基板と、前記表示領域上で配列すると共に各々が画素電極とスイッチング素子とを含んだ複数の画素回路と、前記複数の画素回路が形成する複数の列又は行に沿って配列した複数の信号線と、前記周辺領域上に配置されると共に各々の一端及び他端が前記複数の信号線の少なくとも１つの一端及び他端と絶縁層を挟んでそれぞれ交差した複数のレスキュー配線とを備えたアレイ基板と、前記第１基板の前記主面と向き合った第２基板と、前記第２基板の前記第１基板との対向面上に配置された対向電極とを備えた対向基板と、前記アレイ基板と前記対向基板との間に介在すると共に前記周辺領域上で前記表示領域の輪郭に沿って延在した枠形状のシール層と、前記アレイ基板と前記対向基板と前記シール層とに囲まれた空間を満たした液晶材料とを具備し、前記第１基板の前記主面を投影面とした場合、前記投影面への前記複数のレスキュー配線の投影は、前記投影面への前記対向電極の投影から離間していることを特徴とする液晶表示装置が提供される。
【０００８】
本発明の第２側面によると、一主面に表示領域とこれを取り囲む周辺領域とが規定される第１基板と、前記表示領域上で配列すると共に各々が画素電極とスイッチング素子とを含んだ複数の画素回路と、前記複数の画素回路が形成する複数の列又は行に沿って配列した複数の信号線と、前記周辺領域上に配置されると共に各々の一端及び他端が前記複数の信号線の少なくとも１つの一端及び他端と絶縁層を挟んでそれぞれ交差した複数のレスキュー配線とを備えたアレイ基板と、前記第１基板の前記主面と向き合った第２基板と、前記第２基板の前記第１基板との対向面上に配置された対向電極とを備えた対向基板と、前記アレイ基板と前記対向基板との間に介在すると共に前記周辺領域上で前記表示領域の輪郭に沿って延在した枠形状のシール層と、前記アレイ基板と前記対向基板と前記シール層とに囲まれた空間を満たした液晶材料とを具備し、前記第１基板の前記主面を投影面とした場合、前記投影面への前記複数のレスキュー配線の投影は、前記投影面への前記シール層の投影の内周よりも外側に位置していることを特徴とする液晶表示装置が提供される。
【０００９】
本発明の第３側面によると、一主面に表示領域とこれを取り囲む周辺領域とが規定される第１基板と、前記表示領域上で配列すると共に各々が画素電極とスイッチング素子とを含んだ複数の画素回路と、前記複数の画素回路が形成する複数の列又は行に沿って配列した複数の信号線と、前記周辺領域上に配置されると共に各々の一端及び他端が前記複数の信号線の少なくとも１つの一端及び他端と絶縁層を挟んでそれぞれ交差した複数のレスキュー配線とを備えたアレイ基板と、前記第１基板の前記主面と向き合った第２基板と、前記第２基板の前記第１基板との対向面上に配置された対向電極とを備えた対向基板と、前記アレイ基板と前記対向基板との間に介在すると共に前記周辺領域上で前記表示領域の輪郭に沿って延在した枠形状のシール層と、前記アレイ基板と前記対向基板と前記シール層とに囲まれた空間を満たした液晶材料とを具備し、前記第１基板の前記主面を投影面とした場合、前記投影面への前記複数のレスキュー配線の投影の一部は、前記投影面への前記シール層の投影の内周よりも外側に位置し、前記投影面への前記複数のレスキュー配線の投影の残りの部分は、前記投影面への前記対向電極の投影から離間していることを特徴とする液晶表示装置が提供される。
【００１０】
本発明の第４側面によると、一主面に表示領域とこれを取り囲む周辺領域とが規定される第１基板と、前記表示領域上で配列すると共に各々が画素電極とスイッチング素子とを含んだ複数の画素回路と、前記複数の画素回路が形成する複数の列又は行に沿って配列した複数の信号線と、前記周辺領域上に配置されると共に各々の一端及び他端が前記複数の信号線の少なくとも１つの一端及び他端と絶縁層を挟んでそれぞれ交差した複数のレスキュー配線と、前記第１基板と前記画素電極との間に介在したカラーフィルタとを備えたアレイ基板と、前記第１基板の前記主面と向き合った第２基板と、前記第２基板の前記第１基板との対向面上に配置された対向電極とを備えた対向基板と、前記アレイ基板と前記対向基板との間に介在すると共に前記周辺領域上で前記表示領域の輪郭に沿って延在した枠形状のシール層と、前記アレイ基板と前記対向基板と前記シール層とに囲まれた空間を満たした液晶材料とを具備し、前記第１基板の前記主面を投影面とした場合、前記投影面への前記複数のレスキュー配線の投影の一部は、前記投影面への前記シール層の投影の内周よりも外側に位置し、前記投影面への前記複数のレスキュー配線の投影の残りの部分は、前記投影面への前記対向電極の投影から離間しているか又は前記投影面への前記周縁遮光層の投影と重なり合っていることを特徴とする液晶表示装置が提供される。
【発明の効果】
【００１１】
本発明によると、レスキュー配線を利用した信号線の修復に起因して輝度ムラが生じるのを防止可能となる。
【発明を実施するための最良の形態】
【００１２】
以下、本発明の態様について、図面を参照しながら詳細に説明する。なお、各図において、同様または類似した機能を発揮する構成要素には同一の参照符号を付し、重複する説明は省略する。
【００１３】
図１は、本発明の一態様に係る液晶表示装置を概略的に示す平面図である。図２は、図１に示す液晶表示装置のＩＩ−ＩＩ線に沿った断面図である。図３は、図１に示す液晶表示装置の等価回路図である。図１において、一点鎖線Ｌ１は、表示領域とそれを取り囲む周辺領域との境界を示している。また、図１では、簡略化のため、一部の構成要素を省略している。
【００１４】
図１乃至図３の液晶表示装置は、ＯＣＢ（optically compensated birefringence）モードの液晶表示装置である。この液晶表示装置は、この液晶表示装置は、アクティブマトリクス駆動方式の液晶表示パネルＤＰを含んでいる。液晶表示パネルＤＰは、走査信号線ドライバＹＤＲを搭載したテープキャリアパッケージ（図示せず）を介して、プリント回路基板（図示せず）に接続されている。また、液晶表示パネルＤＰは、映像信号線ドライバＸＤＲを搭載したテープキャリアパッケージＴＣＰを介して、プリント回路基板ＰＣＢに接続されている。この液晶表示装置は、液晶表示パネルＤＰと向き合うように配置されたバックライトユニット（図示せず）をさらに含んでいる。
【００１５】
液晶表示パネルＤＰは、アレイ基板ＡＳと、これと向き合った対向基板ＣＳとを含んでいる。アレイ基板ＡＳと対向基板ＣＳとの間には、枠状のシール層ＡＤが介在している。アレイ基板ＡＳと対向基板ＣＳとの間であって、シール層ＡＤが形成する枠の外側には、アレイ基板ＡＳと対向基板ＣＳとを電気的に接続する複数のトランスファ電極（図示せず）が配置されている。アレイ基板ＡＳと対向基板ＣＳとシール層ＡＤとに囲まれた空間は液晶材料ＬＣで満たされており、この液晶材料ＬＣは液晶層を形成している。アレイ基板ＡＳ及び対向基板ＣＳの各外面上には、光学補償フィルム（二軸性フィルム）ＯＣ及び偏光板ＰＬＺが順次配置されている。
【００１６】
アレイ基板ＡＳは、例えばガラス基板などの透明基板ＳＵＢ１を含んでいる。  
基板ＳＵＢ１上では、それぞれＸ方向に延びた走査信号線ＳＬと補助容量線（図示せず）とが、Ｙ方向に交互に配列している。Ｘ方向及びＹ方向は、それぞれ基板ＳＵＢ１の主面に平行であって、互いに交差している。また、Ｚ方向は、Ｘ方向及びＹ方向と直交する方向である。ここでは、一例として、Ｘ方向とＹ方向とは互いに直交していることとする。
【００１７】
走査信号線ＳＬ及び補助容量線は、例えば、金属又は合金からなる。走査信号線ＳＬの一部は、後述するスイッチＳＷのゲート電極Ｇとして利用する。
【００１８】
基板ＳＵＢ１、走査信号線ＳＬ及び補助容量線は、ゲート絶縁膜ＧＩで被覆されている。ゲート絶縁膜ＧＩは、例えば、シリコン酸化物などの光透過性の絶縁体からなる。
【００１９】
ゲート絶縁膜ＧＩ上には、パターニングされた半導体層ＳＣが配置されている。これら半導体層ＳＣは、例えば、チャネル及びソース・ドレインが形成されたアモルファスシリコン層である。走査信号線ＳＬ及びゲート絶縁膜ＧＩの半導体層ＳＣと向き合った部分と半導体層ＳＣとは、スイッチＳＷである薄膜トランジスタを構成している。なお、ここでは、一例として、スイッチＳＷはｎチャネル薄膜トランジスタであることとする。
【００２０】
半導体層ＳＣ及びゲート絶縁膜ＧＩ上には、映像信号線ＶＬとドレイン電極ＤＥとが配置されている。映像信号線ＶＬは、各々がＹ方向に延びており、半導体層ＳＣが形成する列に対応してＸ方向に配列している。映像信号線ＶＬ及びドレイン電極ＤＥは、半導体層ＳＣのソース・ドレインにそれぞれ接続されている。映像信号線ＶＬ及びドレイン電極ＤＥは、例えば、金属又は合金からなる。
【００２１】
ゲート絶縁膜ＧＩ、スイッチＳＷ、映像信号線ＶＬ及びドレイン電極ＤＥは、絶縁膜Ｉ１で被覆されている。この例では、絶縁膜Ｉ１はカラーフィルタである。カラーフィルタＩ１は、図１に示す一点鎖線Ｌ１で囲まれた表示領域内に配置されている。カラーフィルタＩ１には、ドレイン電極ＤＥに対応した位置に貫通孔が設けられている。
【００２２】
ゲート絶縁膜ＧＩ上には、さらに、絶縁膜Ｉ２が配置されている。この例では、絶縁膜Ｉ２は周縁遮光層である。周縁遮光層Ｉ２は、周辺領域内に配置されており、カラーフィルタＩ１を取り囲んでいる。
【００２３】
カラーフィルタＩ１上では、画素電極ＰＥが、スイッチＳＷに対応して配列している。各画素電極ＰＥは、カラーフィルタＩ１に設けた貫通孔を埋め込んでおり、ドレイン電極ＤＥを介してスイッチＳＷのドレインに接続されている。画素電極ＰＥは、例えば、ＩＴＯ（indium tin oxide）などの透明導電体からなる。なお、カラーフィルタＩ１上には、必要に応じ、転移用電極をさらに配置する。また、画素電極ＰＥと図示しない補助容量線とは、ゲート絶縁膜及びカラーフィルタＩ１からなる誘電体層を介して向き合っており、図３に示すキャパシタＣを構成している。
【００２４】
画素電極ＰＥは、配向膜ＡＬ１で被覆されている。配向膜ＡＬ１の材料には、例えば、ポリイミドなどの樹脂を使用することができる。この配向膜ＡＬ１には、例えば、Ｙ方向にラビングなどの配向処理が施されている。
【００２５】
このアレイ基板ＡＳは、１つ以上のレスキュー配線ＲＬをさらに含んでいる。この例では、アレイ基板ＡＳは、複数のレスキュー配線ＲＬを含んでいる。これらレスキュー配線ＲＬは、後述するように、映像信号線ＶＬが断線している場合に、それを修復するのに利用する。
【００２６】
レスキュー配線ＲＬは、図１に示す一点鎖線Ｌ１で囲まれた表示領域上には配置されていない。レスキュー配線ＲＬは、表示領域の外側の周辺領域上に配置されている。
【００２７】
各レスキュー配線ＲＬの一端及び他端は、１つ以上の信号線の一端及び他端と絶縁層を挟んでそれぞれ交差している。図１の例では、各レスキュー配線ＲＬの一端及び他端は、３つ映像信号線ＶＬのそれぞれの一端及び他端と絶縁層を挟んでそれぞれ交差している。
【００２８】
レスキュー配線ＲＬには、例えば、走査信号線ＳＬと同一の材料を使用してもよい。或いは、レスキュー配線ＲＬの一部に走査信号線ＳＬと同一の材料を使用し、他の部分に映像信号線ＶＬと同一の材料を使用してもよい。或いは、レスキュー配線ＲＬには、走査信号線ＳＬや映像信号線ＶＬとは異なる材料を使用してもよい。
【００２９】
レスキュー配線ＲＬと映像信号線ＶＬとの間の絶縁層としては、例えば、ゲート絶縁膜ＧＩを使用してもよい。或いは、この絶縁層には、ゲート絶縁膜ＧＩとは異なる材料を使用してもよい。
【００３０】
対向基板ＣＳは、例えばガラス基板などの透明基板ＳＵＢ２を含んでいる。基板ＳＵＢ２は、配向膜ＡＬ１と向き合うように配置されている。
【００３１】
基板ＳＵＢ２のアレイ基板ＡＳとの対向面には、対向電極ＣＥが配置されている。対向電極ＣＥは、例えば、ＩＴＯなどの透明導電体からなる。対向電極ＣＥは、典型的には共通電極である。
【００３２】
対向電極ＣＥは、配向膜ＡＬ２で被覆されている。配向膜ＡＬ２は、図示しないスペーサによって、配向膜ＡＬ１のうち画素電極ＰＥ上に位置した部分から離間している。配向膜ＡＬ２の材料には、例えば、ポリイミドなどの樹脂を使用することができる。この配向膜ＡＬ２には、例えば、ラビングなどの配向処理が配向膜ＡＬ１と同じ向きに施されている。
【００３３】
アレイ基板ＡＳと対向基板ＣＳとの間には、枠状のシール層ＡＤが介在している。シール層ＡＤの材料には、例えば、熱硬化性接着剤などの接着剤を使用する。
【００３４】
アレイ基板ＡＳと対向基板ＣＳとの間であって、シール層ＡＤが形成している枠の内側には、図示しない粒状スペーサが介在している。或いは、アレイ基板ＡＳ及び対向基板ＣＳの少なくとも一方の対向面には、柱状スペーサが形成されている。これらスペーサは、アレイ基板ＡＳと対向基板ＣＳとシール層ＡＤとで囲まれた空間の厚さを一定に保つ役割を果たしている。
【００３５】
液晶材料ＬＣは、この例では、誘電率異方性及び屈折率異方性が正の液晶材料である。この液晶材料ＬＣは、画像を表示している間、ベンド配向を形成する。明表示と暗表示との切り替えは、画素電極ＰＥと対向電極ＣＥとの間に印加する電圧の絶対値を、典型的にはゼロよりも大きな第１値と、第１値よりも大きな第２値との間で切り替えることにより行う。以下、印加電圧の絶対値を第１値としている状態をＯＦＦ状態と呼び、印加電圧の絶対値を第２値としている状態をＯＮ状態と呼ぶ。
【００３６】
対向電極ＣＥの画素電極ＰＥと向き合った部分と、画素電極ＰＥと、それらの間に介在した液晶層ＬＣ並びに配向膜ＡＬ１及びＡＬ２とは、図３に示す液晶素子ＬＣＥを構成している。スイッチＳＷと液晶素子ＬＣＥとは、映像信号線ＶＬとノードＮＤとの間で、この順に直列に接続されている。なお、ノードＮＤは、対向電極ＣＥに接続された電源端子又は接地端子である。また、スイッチＳＷと液晶素子ＬＣＥとキャパシタＣとは、画素回路又は画素ＰＸを構成している。
【００３７】
光学補償フィルムＯＣは、例えば、二軸性フィルムである。光学補償フィルムＯＣは、例えば、屈折率異方性が負の一軸性化合物，例えばディスコティック液晶化合物，をハイブリッド配向させた光学異方性層を含んでいる。
【００３８】
基板ＳＵＢ１上の光学補償フィルムＯＣが含む一軸性化合物の光学軸は、例えば、基板ＳＵＢ１側では、アレイ基板ＡＳの近傍に位置した液晶分子のＯＮ状態における光学軸と略平行であり、その反対側では、アレイ基板ＡＳと対向基板ＣＳとの中間に位置した液晶分子のＯＮ状態における光学軸と略平行である。また、基板ＳＵＢ２上の光学補償フィルムＯＣが含む一軸性化合物の光学軸は、例えば、基板ＳＵＢ２側では、対向基板ＣＳの近傍に位置した液晶分子のＯＮ状態における光学軸と略平行であり、その反対側では、アレイ基板ＡＳと対向基板ＣＳとの中間に位置した液晶分子のＯＮ状態における光学軸と略平行である。これら光学補償フィルムＯＣのリタデーションの和は、例えば、液晶層ＬＣのＯＮ状態におけるリタデーションとほぼ等しくする。
【００３９】
偏光板ＰＬＺは、例えば、それらの透過軸が互いに略直交するように配置する。また、各偏光板ＰＬＺは、例えば、その透過軸がＸ方向及びＹ方向に対して約４５°の角度を為すように配置する。
【００４０】
図示しないバックライトユニットは、液晶表示パネルＤＰのアレイ基板ＡＳを照明するように配置されている。
【００４１】
次に、レスキュー配線ＲＬを利用した映像信号線ＶＬの修復について説明する。  
図４及び図５は、レスキュー配線を利用した信号線の修復方法の一例を概略的に示す平面図である。なお、ここでは、光学補償フィルムＯＣ及び偏光板ＰＬＺを貼り付ける前の液晶表示パネルＤＰに対して信号線の修復を行う例を説明するが、信号線の修復は、対向基板ＣＳと貼り合わせる前のアレイ基板ＡＳに対して行ってもよい。
【００４２】
図４に示すように、破線Ｌ２で囲んだ位置で映像信号線ＶＬが断線している場合、この映像信号線ＶＬに接続された画素ＰＸの一部には、映像信号を書き込むことができない。そのため、これを修復せずに画像を表示したとすると、例えば、ノーマリホワイト方式を採用している場合には、表示画像に断線箇所を起点とした輝線が生じる。
【００４３】
断線が見つかった場合には、断線した映像信号線ＶＬとレスキュー配線ＲＬとの２つの交差部Ｌ３にレーザビームを照射する。これにより、各交差部Ｌ３において、映像信号線ＶＬ及び／又はレスキュー配線ＲＬを溶融させると共に、それらの間に介在した絶縁層を開口させる。
【００４４】
このようにして、図５に示すように、先の映像信号線ＶＬの両端をレスキュー配線ＲＬと電気的に接続する。これにより、断線している映像信号線ＶＬに接続された全ての画素ＰＸに映像信号を書き込むことが可能となる。
【００４５】
なお、映像信号線ＶＬの断線は、例えば、アレイ基板ＡＳの製造過程において、映像信号線ＶＬの一部が剥離することにより生じる。また、映像信号線ＶＬの断線は、例えば、映像信号線ＶＬと走査信号線ＳＬ又は補助容量線とがそれらの交差部で短絡した場合、それらを電気的に絶縁すべく、レーザビーム照射によって、短絡部を挟んだ２箇所で映像信号線ＶＬを切断した場合にも生じる。
【００４６】
さて、先に説明した修復を行った液晶表示パネルＤＰでは、表示画像に輝線などの輝度ムラは生じない筈である。しかしながら、上記の通り、断線した映像信号線ＶＬをレスキュー配線ＲＬを利用して修復すると、先の映像信号線ＶＬに対応した位置に輝度ムラを生じる可能性がある。
【００４７】
本発明者らは、この輝度ムラの要因について様々な可能性を検討した。その結果、この輝度ムラは、レスキュー配線ＲＬの寄生容量が大きいことに起因していることを見い出した。
【００４８】
すなわち、レスキュー配線ＲＬの寄生容量が大きかったため、修復した映像信号線に接続された画素ＰＸへの映像信号の書き込みを各選択期間内に完了することができず、先の画素ＰＸが含む画素電極ＰＥへの充電が不十分となる可能性があった。その結果、修復した映像信号線ＶＬに対応した位置に輝度ムラを生じることがあったのである。
【００４９】
レスキュー配線ＲＬの寄生容量は、主として、レスキュー配線と対向電極ＣＥとの間に形成される容量である。したがって、レスキュー配線ＲＬと対向電極ＣＥとを互いから遠ざけることや、レスキュー配線ＲＬと対向電極ＣＥとの間に介在する誘電体層の比誘電率を小さくすることにより、レスキュー配線ＲＬの寄生容量を小さくすることができる。そこで、本態様では、以下に説明する構造を採用する。
【００５０】
例えば、基板ＳＵＢ１の対向基板ＣＳ側の主面を投影面とした場合、この投影面へのレスキュー配線ＲＬの全投影が、先の投影面への対向電極ＣＥの投影から離間するように、レスキュー配線ＲＬ及び対向電極ＣＥのそれぞれの形状及び配置を設計する。この場合、レスキュー配線ＲＬの投影の一部又は全部が対向電極ＣＥの投影と重なり合っている場合と比較して、レスキュー配線ＲＬの寄生容量が著しく小さくなる。したがって、この構造を採用した場合には、レスキュー配線ＲＬを利用した修復を行ったとしても、修復した映像信号線ＶＬに対応した位置に輝度ムラを生じることはない。
【００５１】
但し、通常、対向電極ＣＥとアレイ基板ＡＳとの電気的接続は、シール層ＡＤが形成している枠の外側で行う。そのため、レスキュー配線ＲＬの全投影を対向電極ＣＥの投影から離間させるためには、レスキュー配線ＲＬ及び／又は対向電極ＣＥに、複雑な形状及び配置を採用しなければならないことがある。
【００５２】
或るレスキュー配線ＲＬと交差した１つ以上の映像信号線ＶＬのうち、このレスキュー配線ＲＬを用いて修復できるのは１つのみである。そのため、断線の発生頻度にもよるが、高い歩留まりを実現するためには、より多くのレスキュー配線ＲＬを配置することが有利であると考えられる。
【００５３】
しかしながら、周辺領域は寸法が小さいことが望まれている。すなわち、レスキュー配線ＲＬを配置できる領域の大きさには制限がある。そのため、レスキュー配線ＲＬの数を増やすと、レスキュー配線ＲＬなどの配置の自由度が低下する。したがって、レスキュー配線ＲＬの全ての投影を対向電極ＣＥの投影から離間させることが難しい場合がある。
【００５４】
このような場合には、例えば、上記投影面へのレスキュー配線ＲＬの全投影が、その投影面へのシール層ＡＤの投影の内周よりも外側に位置するように、レスキュー配線ＲＬ及びシール層ＡＤのそれぞれの形状及び配置を設計してもよい。この場合、上記投影面へのレスキュー配線ＲＬの投影が、その投影面への液晶層の投影と重なり合うことはない。また、シール層ＡＤや空気は、液晶材料ＬＣと比較して、比誘電率がより小さい。したがって、この構造を採用すると、投影の一部又は全部がシール層ＡＤの投影の内周よりも内側に位置している場合と比較して、レスキュー配線ＲＬの寄生容量が著しく小さくなる。すなわち、この構造を採用した場合には、レスキュー配線ＲＬを利用した修復を行ったとしても、修復した映像信号線ＶＬに対応した位置に輝度ムラを生じることはない。
【００５５】
この効果は、他の構造を採用した場合にも得ることができる。例えば、上記投影面へのレスキュー配線ＲＬの投影の一部がこの投影面へのシール層ＡＤの投影の内周よりも外側に位置し、且つ、レスキュー配線ＲＬの投影の残りの部分が先の投影面への対向電極ＣＥの投影から離間するように、レスキュー配線ＲＬ、対向電極ＣＥ及びシール層ＡＤのそれぞれの形状及び配置を設計してもよい。
【００５６】
また、先とほぼ同様の効果は、さらに他の構造を採用した場合にも得ることができる。例えば、上記投影面へのレスキュー配線ＲＬの投影の一部がこの投影面へのシール層ＡＤの投影の内周よりも外側に位置し、且つ、レスキュー配線ＲＬの投影の残りの部分が先の投影面への対向電極ＣＥの投影から離間するか又は先の投影面への周縁遮光層Ｉ２の投影と重なり合うように、レスキュー配線ＲＬ、対向電極ＣＥ、シール層ＡＤ及び周縁遮光層Ｉ２のそれぞれの形状及び配置を設計してもよい。周縁遮光層Ｉ２と対向基板ＣＥとの間には液晶材料ＬＣが介在しているが、周縁遮光層Ｉ２は液晶材料ＬＣと比較して、比誘電率がより小さい。したがって、この構造を採用した場合にも、レスキュー配線ＲＬの寄生容量を小さくすることができる。
【００５７】
但し、この構造を採用した場合には、レスキュー配線ＲＬの投影と周縁遮光層Ｉ２の投影との重複は、できるだけ小さくすることが望ましい。例えば、レスキュー配線ＲＬの投影と周縁遮光層Ｉ２の投影との重複は、レスキュー配線ＲＬの全投影の１０％以下とする。
【００５８】
図１では、レスキュー配線ＲＬの一部を表示領域の右辺に沿って敷設し、レスキュー配線ＲＬの残りを表示領域の右辺に沿って敷設している。すなわち、図１では、レスキュー配線ＲＬを周辺領域の右側部分と左側部分とに割り振って配置している。レスキュー配線ＲＬは、表示領域の右辺及び左辺の一方に沿って敷設してもよい。但し、レスキュー配線ＲＬ等の配置の自由度を考えた場合には、レスキュー配線ＲＬを周辺領域の右側部分と左側部分とに割り振って配置したほうが有利である。
【００５９】
以上、映像信号線ＶＬの修復に利用するレスキュー配線ＲＬを説明したが、この液晶表示装置は、そのようなレスキュー配線ＲＬの代わりに、走査信号線ＳＬの修復に利用するレスキュー配線を含んでいてもよい。或いは、この液晶表示装置は、映像信号線ＶＬの修復に利用するレスキュー配線ＲＬと、走査信号線ＳＬの修復に利用するレスキュー配線との双方を含んでいてもよい。
【００６０】
液晶材料ＬＣの使用温度域における比誘電率が小さい場合、上述したレスキュー配線ＲＬの寄生容量の問題は殆ど生じない。すなわち、先の構造は、使用温度域における比誘電率が大きな液晶材料を使用した場合，例えば、ＯＣＢモードを採用した場合や最高温度と最低温度との差が約３０℃以上の使用温度域を想定している場合，などに、特に有用である。
【図面の簡単な説明】
【００６１】
【図１】本発明の一態様に係る液晶表示装置を概略的に示す平面図。
【図２】図１に示す液晶表示装置のＩＩ−ＩＩ線に沿った断面図。
【図３】図１に示す液晶表示装置の等価回路図。
【図４】レスキュー配線を利用した信号線の修復方法の一例を概略的に示す平面図。
【図５】レスキュー配線を利用した信号線の修復方法の一例を概略的に示す平面図。
【符号の説明】
【００６２】
ＡＤ…シール層、ＡＬ１…配向膜、ＡＬ２…配向膜、ＡＳ…アレイ基板、Ｃ…キャパシタ、ＣＥ…対向電極、ＣＳ…対向基板、ＤＥ…ドレイン電極、ＤＰ…液晶表示パネル、Ｇ…ゲート電極、ＧＩ…ゲート絶縁膜、Ｉ１…カラーフィルタ、Ｉ２…周縁遮光層、Ｌ１…一点鎖線、Ｌ２…破線、Ｌ３…交差部、ＬＣ…液晶材料、ＬＣＥ…液晶素子、ＮＤ…ノード、ＯＣ…光学補償フィルム、ＰＣＢ…プリント回路基板、ＰＥ…画素電極、ＰＬＺ…偏光板、ＰＸ…画素回路ＳＣ…半導体層、ＳＬ…走査信号線、ＳＵＢ１…透明基板、ＳＵＢ２…透明基板、ＳＷ…スイッチ、ＴＣＰ…テープキャリアパッケージ、ＶＬ…映像信号線、ＸＤＲ…映像信号線ドライバ、ＹＤＲ…走査信号線ドライバ。
【図１】
2007047276.tif 000003
【図２】
2007047276.tif 000004
【図３】
2007047276.tif 000005
【図４】
2007047276.tif 000006
【図５】
2007047276.tif 000007